(57)【要約】【課題】ユーザがプリント写真を受け取る前に画像データの不良を知ることができる撮影装置を提供する。【解決手段】撮影時に警告表示を行ったにも拘わらず、撮影が行なわれた場合には、画像データに対応づけて警告内容（不良内容）もメモリカードに記録するようにする。そうするとそのメモリカードを装填することにより、デジタルカメラ等の撮影装置、あるいは現像店の専用ツールの表示画面上でプリント指示を行う（あるいはプリント指示が妥当であったかどうかの確認を行う）ときにそのメモリカードから不良情報を読み取って画像とともに不良であることが表示画面上に表示されるようになるので、ユーザはプリント写真を受け取る前に表示画面上でプリント写真にしようとしている画像の不良に気付くようになる。【選択図】図３
2006352243.tif 000002
【特許請求の範囲】
【請求項１】
被写体を捉え撮影により画像データを生成して記録メディアに記録する撮影装置において、
不良な画像データが得られる可能性があることもしくは不良な画像データが得られたことを検出する不良検出手段と、
撮影により得られた画像データを記録メディアに記録するとともに前記不良検出手段により不良が検出された画像データについては該画像データを記録するとともに該画像データに対応付けて不良情報を記録する画像記録手段とを備えたことを特徴とする撮影装置。
【請求項２】
前記記録メディアに記録されている画像データの中からプリント候補の画像を表わす画像データを読み出して該画像データに基づく画像を表示画面上に表示するとともにユーザ操作によるプリント指示情報を前記記録メディアに該画像データに対応付けて記録するプリント指示手段を備え、
該プリント指示手段は、前記表示画面に画像を表示するにあたり、
該画像を表わす画像データに対応付けて不良情報が記録されていた場合に該画像とともに該不良情報を表示するものであることを特徴とする請求項１記載の撮影装置。
【発明の詳細な説明】
【技術分野】
【０００１】
本発明は、被写体を捉え撮像により画像データを生成して記録メディアに記録する撮影装置に関する。
【背景技術】
【０００２】
デジタルカメラ等では、画像データをメモリーカードに記録するときに、画像データとヘッダ情報とをあわせて画像ファイル（Ｅｘｉｆファイル）にして記録するようにしているので、そのヘッダ情報の中に撮影日時を初めとした様々な情報を書き込んでおくことができる。このようなヘッダ情報の中に画質情報等を付加しておいて後からプリンタでそのメモリカード内の画像データに基づく画像をプリントしようとするときにデジタルカメラで得た画像の色合い等を忠実に再現してプリントすることができるようにしようとする技術が数多く提案されている（例えば特許文献１，２参照）。
【０００３】
またそのヘッダ情報の中にＤＰＯＦと呼ばれる規格に対応した、プリントしたいコマ情報等も書き込むこともできる（例えば特許文献３参照）。このコマ情報をヘッダ情報としてメモリカードに書き込んでおくと、そのメモリカードを現像店に持っていくことによって撮影コマに関するプリント情報例えば画質やプリント枚数などが現像機などにより読み取られて読み取られた画質で読み取られた枚数分のプリント写真が作成される。さらにこのようにメモリカード内に記憶されている画像データに対応付けてコマごとにプリント情報が書き込まれていると、プリント予約を行った画像ファイル等の管理が行ない易くなるという利点も得られる。
【０００４】
ところで、被写体に応じては撮影時に露出アンダーや露出オーバ等になることもあり、デジタルカメラの中にはそのような場合に撮影を行なおうとしているユーザに対して警告表示を行なうようにしているものもある。しかし、ユーザの中にはその警告表示が眼に入らず、思わずシャッタチャンスを逃すまいとしてシャッタを切ってしまう人も多い。
【０００５】
最近のデジタルカメラにおいては、上記したようにメモリカードに画像データが記録されるようになっているので、失敗撮影であれば、後からその画像ファイルを消去することができる。しかし露出オーバ気味であったり、露出アンダー気味であったりした場合には、プリント予約を行なう際の画面上の画像表示では気付かなかった露出状態の悪さにプリント写真を受け取った後になってから気付くユーザもいる。
【特許文献１】特開２０００−３５４２５５号公報
【特許文献２】特開２００３−２８３９８６号公報
【特許文献３】特開２０００−１２５２３３号公報
【発明の開示】
【発明が解決しようとする課題】
【０００６】
本発明は、上記事情に鑑み、ユーザがプリント写真を受け取る前に画像データの不良を知ることができる撮影装置を提供することを目的とする。
【課題を解決するための手段】
【０００７】
上記目的を達成する本発明の撮影装置は、被写体を捉え撮像により画像データを生成して記録メディアに記録する撮影装置において、
不良な画像データが得られる可能性があることもしくは不良な画像データが得られたことを検出する不良検出手段と、
撮影により得られた画像データを記録メディアに記録するとともに上記不良検出手段により不良が検出された画像データについてはその画像データを記録するとともにその画像データに対応付けて不良情報を記録する画像記録手段とを備えたことを特徴とする。
【０００８】
上記画像記録手段によれば、上記不良検出手段により例えば露出オーバ気味であるであるとか、露出アンダ気味であるとか、またピンボケ気味であるとかが検出され、その不良な画像データとともに不良情報が記録メディアに記録される。
【０００９】
そうすると、この記録メディアをパーソナルコンピュータに装填してプリント指示予約プログラムを起動してプリント指示の予約を行おうとしているときにプリント指示の予約画面上に画像データに基づく画像とともに上記不良情報を表示することができるようになるので、その画面を見たユーザは、プリント写真にするかどうかをその画面上の不良情報に基づいて判断することができるようになる。
【００１０】
つまり、いままでのように画面上の画像表示では気付かなかった露出状態の悪さにプリント写真を受け取った後になってから気付くといったことがなくなり、プリント写真を受け取る前、例えば自分の撮影装置上の画面を見たとき、あるいは現像店にいってこれからプリントを依頼しようとして専用ツールの表示画面を見たときに画像データの不良を知ることができるようになる。
【００１１】
また、ユーザにより例えばスローシャッタ（１／３０Ｓ以上の長いシャッタ秒時）が設定されて撮影が行なわれようとしているときには撮影前に手ぶれが発生し易くなるという警告が表示画面上に表示されてしまう撮影装置がある。そのような撮影装置においては上記不良な画像データが得られる可能性があること、言い換えれば手ぶれにより不良な画像データが得られる可能性があることが不良情報として記録メディアに記録されることになる。このような場合においても表示画面上に不良情報として手ぶれにより不良な画像データが得られる可能性があったことを表示することができるので、その画面を見たユーザは、プリント写真にするかどうかをその画面上の不良情報に基づいて判断することができるようにもなる。
【００１２】
すなわち、ユーザがプリント写真を受け取る前に画像データの不良を知ることができる撮影装置が実現される。
【００１３】
ここで、上記記録メディアに記録されている画像データの中からプリント候補の画像を表わす画像データを読み出してその画像データに基づく画像を表示画面上に表示するとともにユーザ操作によるプリント指示情報を上記記録メディアにその画像データに対応付けて記録するプリント指示手段を備え、
そのプリント指示手段は、上記表示画面に画像を表示するにあたり、
その画像を表わす画像データに対応付けて不良情報が記録されていた場合にその画像とともにその不良情報を表示するものであることが好ましい。
【００１４】
この撮影装置が上記プリント指示手段を備えたものであると、そのプリント指示手段により上記表示画面上に表示されている画像を見ながら、その画像を表わすデータに対応付けてプリント指示情報を記録メディアに記録することができるようになる。つまり、ユーザはその表示画面上の不良情報によってプリント写真にするかどうかを判断することができるようになる。
【００１５】
すなわち、この撮影装置上でプリント指示情報を画像データに対応づけて記録メディアに記録したときに、言い換えれば現像店に持っていく前に表示画面上の表示により画像データの不良を知ることができるようになる。
【００１６】
さらに、赤外線通信モードやＰｃｉｔＢｒｉｄｇｅモードを有する撮影装置にあっては、上記プリント指示手段によって、プリンタに向けてプリント指示を行うときにこの撮影装置の表示画面上に画像とともにその画像に対応付けられた上記不良情報を表示するようにしてプリント写真にする前にユーザにプリント写真にするかどうかの判断を促すようなことも行なえる。
【発明の効果】
【００１７】
以上、説明したように、ユーザがプリント写真を受け取る前に画像データの不良を知ることができる撮影装置が実現される。
【発明を実施するための最良の形態】
【００１８】
以下、本発明の実施の形態について説明する。
【００１９】
図１は、本発明の撮影装置の一実施形態であるデジタルカメラを示す図である。
【００２０】
図１に示すように、本実施形態のデジタルカメラ１００のカメラボディ中央にはレンズ鏡胴１７０が配備されている。そのレンズ鏡胴１７０にフォーカスレンズを含む撮影光学系が内蔵されており、その撮影光学系を通してデジタルカメラ１００内部に配備されているＣＣＤ固体撮像素子（以降ＣＣＤという）まで被写体の像が導かれるようになっている。また、レンズ鏡胴１７０上方にはファインダ１０５が設けられており、さらにそのファインダの横には閃光発光窓１６０が配備されている。
【００２１】
このデジタルカメラ１では、デジタルカメラ１内部の後述するＣＣＤでスルー画や撮影画像を表す画像信号が生成される他、ＣＣＤで得られた画像信号が持つ被写界輝度分布を後述するＹＣ処理部により検出することにより合焦位置や被写体輝度値が検出されるようになっている。本実施形態のデジタルカメラ１００には、半押しと全押しの２つの操作態様を有するレリーズボタン１０２が配備されているので、半押し時に上記ＹＣ処理部による被写界輝度分布の検出に応じて絞りの開口径が被写界輝度にあうように調節されたり、その被写界輝度分布からさらにコントラストが抽出されてそのコントラストのピークが得られるところ（合焦位置とする）にフォーカスレンズが配置されたりする。このように絞り径や合焦位置の調整が行なわれた後、全押し時に全押しタイミングに応じて後述するＣＣＤに露光開始信号が供給され撮影が開始されるようになっている。
【００２２】
また、本実施形態のデジタルカメラ１では、上記ＹＣ処理部１１６で画像データから被写界輝度分布を検出したときに、後述するメインＣＰＵが充分な輝度（あるいはコントラスト）が得られないような画像データであると判定した場合には、不良な画像データ（露出不良になる危険性がある画像データであったり、合焦不良になる危険性がある画像データであったりする）が得られる危険性があるとして、ＬＣＤパネル１５０上に警告表示を行なうようにもしている。
【００２３】
ここで、図２を参照してデジタルカメラ１００内部の構成を説明する。
【００２４】
図２は、デジタルカメラ１００の内部に配備された信号処理部の構成ブロック図である。
【００２５】
本実施形態のデジタルカメラ１００ではすべての処理がメインＣＰＵ１１０によって制御されていて、このメインＣＰＵ１１０の入力部に電源スイッチ１０１ａや撮影モードダイヤル１０１ｅなどからの操作信号がそれぞれ供給されている。メインＣＰＵ１１０はＥＥＰＲＯＭ１１０ａを有しており、このＥＥＰＲＯＭ１１０ａの中にはデジタルカメラ１００として動作するために必要なプログラムが書き込まれている。このような構成を持つデジタルカメラの電源スイッチ１０１ａ（図１参照）が投入されると、ＥＥＰＲＯＭ１１０ａ内のプログラムの手順にしたがってＣＰＵ１１０によりこのデジタルカメラ１００全体の動作が制御される。このプログラムの中にはＹＣ処理部１１６の検出結果に応じて不良な画像データが得られる、あるいは不良な画像でータが得られたことを検出してユーザに表示することにより画像データの不良を知らせる警告表示用のプログラムも含まれている。
【００２６】
まず画像信号の流れを、図２を参照して説明する。
【００２７】
スイッチ群１０１の中の電源スイッチ１０１ａ（図１参照）が投入されたら、メインＣＰＵ１１０により電源スイッチ１０１ａが投入されたことが検知され、電源１３０からメインＣＰＵ１１０，測光測距ＣＰＵ１２０などの各ブロックに電力が供給される。電源１３０から電力が各ブロックに供給されたときにモードレバー１０１ｅが撮影側に切り替えられていた場合には、メインＣＰＵ１１０と測光測距ＣＰＵ１２０の制御の基、まずＣＣＤ１１０に結像された被写体像が画像信号として所定の間隔ごとに間引かれて出力され、その出力された画像信号に基づく被写体像が画像表示ＬＣＤ１５のＬＣＤパネル１５０上に表示される。このＣＣＤ１１２には測光・測距ＣＰＵの制御の基、クロックジェネレータ（以下、ＣＧという）１１２１からタイミング信号が供給されており、このタイミング信号によって所定の間隔ごとに、画像信号が間引かれて出力される。このＣＧ１１２１はメインＣＰＵ１１０及び測光・測距ＣＰＵ１２０からの指示に基づいてタイミング信号を出力しており、そのタイミング信号は、ＣＣＤ１１２の他、後段のＡ／Ｄ部１１３、およびホワイトバランス調整・γ処理部１１４にも供給されている。したがって、ＣＣＤ１１２、Ａ／Ｄ部１１３、ホワイトバランス・γ処理部１１４ではそのタイミング信号に同期して順序良く画像信号の処理が流れるように行なわれる。
【００２８】
このように各ＣＰＵ１１０，１２０の指示に応じてＣＧ１１２１から出力されるタイミング信号に同期してＡ／Ｄ部１１３でデジタルの画像信号に変換され、またホワイトバランスγ処理部１１４でホワイトバランス調整やγ補正が所定の間隔ごとに行なわれていくときには、それらの画像信号の流れをうまく処理する必要があるので、後段にバッファメモリ１１５を設けて、そのバッファメモリ１１５によって所定の間隔ごとに画像信号をＹＣ処理部１１６に転送していくタイミングを調整している。そのバッファメモリ１１５からは古い時刻に記憶された画像信号から先にＹＣ処理部１１６へ転送される。そのＹＣ処理部１１６に転送された画像信号は、ＹＣ処理部１１６でＲＧＢ信号からＹＣ信号に変換され、その後バス１２１を介してその変換されたＹＣ信号が画像表示ＬＣＤ１５側に供給される。この画像表示ＬＣＤ１５の前段にはＹＣ信号をＲＧＢ信号に変換するＹＣ→ＲＧＢ変換部１５１があり、このＹＣ→ＲＧＢ変換部１５１でＹＣ信号が再び画像表示ＬＣＤ１５のγ特性にあったＲＧＢ信号に変換され、その変換されたＲＧＢ信号がドライバ１５２を経由して画像表示ＬＣＤ１５に供給される。この供給されたＲＧＢ信号に基づいて画像表示ＬＣＤ１５のＬＣＤパネル１５０上に被写体像の画像表示が行なわれる。前述したＣＧ１１２１から出力されるタイミング信号に同期してＣＣＤ１１２、Ａ／Ｄ部１１３、ＷＢ／γ補正部１１４が動作して、所定の間隔ごとにＣＣＤ１１２で生成された画像信号が処理されている訳であるから、この画像表示ＬＣＤ１５の表示パネル１５０上には撮影レンズが向けられた方向の被写体が被写体像として常に表示され続ける。
【００２９】
この表示され続けている被写体像を視認しながら、シャッタチャンスにレリーズボタン１０２が押されると、レリーズボタン１０２の押下タイミングを起点として所定の時間を経た後、ＣＣＤ１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がメモリカード１１９に記録される。この圧縮・伸張部１１７では静止画についてはＪＰＥＧ規格に準拠した圧縮方法で圧縮が行なわれてメモリカード１１９に画像信号が記録される。
【００３０】
ここでは、前述したようにＹＣ処理部１１６で、ＣＣＤ１１２で得た画像データから被写界輝度分布を検出してその被写界輝度分布に応じてメインＣＰＵ１１０が露出アンダあるいは露出オーバあるいはピンボケになる危険性があるかどうかを判定するようにしている。ここでメインＣＰＵ１１０がその危険性があると判定したときには、圧縮・伸張部１１７およびＩ／Ｆ１１８からなる、本発明にいう画像記録部がヘッダ情報としてその危険性を不良情報として記録するようにしている。
【００３１】
このようにヘッダ部には圧縮情報や撮影情報、さらにはその不良情報が書き込まれるようになっているため、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像がＬＣＤパネル１５０上に表示され、さらにヘッダ内の不良情報の内容もその被写体像に重ねて表示される。
【００３２】
また、本実施形態のデジタルカメラは、撮影モードレバー１０１ｅが再生モードに切り替えられた状態にあるときにメモリカード１１９に記録されている画像データの中からプリント候補の画像を表わす画像データを読み出してその画像データに基づく画像を画像表示ＬＣＤ１５のＬＣＤパネル１５０上に表示する再生モードに加え、ユーザ操作によるプリント指示情報を記録メディアであるメモリカード１１９にその画像データに対応付けて記録するＤＰＯＦモードを有しており、メニューボタンの操作によりそのＤＰＯＦモードが選択されるとこのデジタルカメラ上でプリント指示が行なえるようにもなっている。
【００３３】
本実施形態のデジタルカメラにおいては、このＤＰＯＦモードが選択されたときにも上記不良情報をＬＣＤパネル１５０上に表示するようにしてユーザに画像データの不良を知らせるようにしている。この例においては上記ＹＣ処理部と上記メインＣＰＵとが本発明にいう不良検出手段にあたる。
【００３４】
ここで、電源スイッチ１０１ａが投入されモードレバー１０１ｅにより撮影モードが指定され、さらにレリーズボタン１０２が半押しから全押しへと操作されたときにメインＣＰＵ１１０が行なう撮影処理を説明する。
【００３５】
図３は、メインＣＰＵ１１０が行なう撮影処理の手順を示すフローチャートである。
【００３６】
なお図３中の符号Ｓ０はレリーズボタンが押されていない状態を示し、符号Ｓ１は、レリーズボタン１０２の半押し状態を示し、符号Ｓ２はレリーズボタンの全押し状態を示す。
【００３７】
ステップＳ３０１でレリーズボタン１０２が半押し（Ｓ１）されたときにＹＣ処理部で検出された被写界輝度分布から露出オーバー、露出アンダーあるいはピンボケの危険性があると判定した場合に警告表示を行なう。ここで、その警告表示を見て半押し状態からレリーズボタン１０２（図１，図２参照）が押されずに元の位置に戻されたらＳ０側に進んでこのフローの処理を終了する。
【００３８】
ステップＳ３０１で半押し状態Ｓ１から全押し状態Ｓ２に移行したらフロー中Ｓ２側に進んでステップＳ３０２で撮影を行なって次のステップＳ３０３で画像データに対応付けて警告表示の内容（本発明にいう不良情報）をヘッダ情報としてメモリカード１１９（図２参照）に記録してこのフローの処理を終了する。
【００３９】
このようにしてメモリカード１１９に記録された画像ファイル内のヘッダ部に不良情報が記録されると、デジタルカメラ１の撮影モードレバー１０１ｅが再生モード側に切り替えられてメモリカード１１９内の画像データを読み出してＬＣＤパネル１５０上にその画像データに基づく画像を表示するときにその不良情報も読み出してＬＣＤパネル１５０上に表示することができるようになる。
【００４０】
このようにしておくと、再生時に不良情報の表示が表示画面上に行なえるようになるので、現像店に持っていく前にユーザは画像データの不良を知ることができるようになる。
【００４１】
ここで再生モードに切り替えられた状態にあるときにさらにメニュー釦１０１ｃ（図１参照）が押されて十字キー１０１ｂ（図１参照）の操作によりさらにＤＰＯＦモードが選択されたときにメインＣＰＵ１１０（図２参照）が行なうＤＰＯＦ処理を説明する。
【００４２】
図４は、メインＣＰＵが行なうＤＰＯＦ処理を示すフローチャートである。また、図５は、図４のステップＳ４０５でユーザに画像データの不良を知らせる際に用いられる表示画面の一例である。
【００４３】
図４、図５を参照してＤＰＯＦ処理を説明する。
【００４４】
図４に示すように、ステップＳ４０１でプリント指定しようとしている画像データが包含されている画像ファイルのヘッダに不良情報を示す情報があるかどうかを判定する。このステップＳ４０１で画像ファイルのヘッダ部に不良情報を示す警告付加情報がなかったら、ステップＳ４０２へ進んでプリントを行なうことが確定したとして次のステップＳ４０３へ進んでプリント予約（ＤＰＯＦ）処理としてプリント指示情報を記録メディアに記録してこのフローの処理を終了する。
【００４５】
またステップＳ４０１で画像ファイルのヘッダ部に不良情報を示す警告付加情報があった場合には、プリント可否警告を行なうために図５に示す画面を表示する。図５には画像データに基づく画像が示されていないが実際には画像データに基づく画像の上に図５に示す文字が重ねて表示されている。
【００４６】
このステップＳ４０５で画像が不良であることを承知の上で、ステップＳ４０５で図５に示すＹｅｓ側のところに十字キーの操作により選択カーソルが配置された後ＯＫ釦が押下されたら、可側に進んでステップＳ４０３でプリント予約（ＤＰＯＦ）処理として画像データに対応づけてプリント指示情報を記録メディアに記録するようにしてこのフローの処理を終了する。またステップＳ４０５で画像不良であるので図５に示すＮｏ側のところに十字キーの操作により選択カーソルが配置された後ＯＫ釦が押下されたら、否側に進んでプリント指示を記録せずにこのフローの処理を終了する。
【００４７】
以上説明したように、ユーザが撮影装置の表示画面上で、つまり現像店に持っていく前に画像データの不良を知ることができる撮影装置が実現される。
【００４８】
また、本実施形態のデジタルカメラにおいては図５に示す選択画面を用意してユーザにプリント指示を行うか否かの判断を促すようにして、少々露出アンダ気味であっても写真にしたいときには写真にすることもできる、ユーザ判断に応じたプリント予約が行なえる撮影装置が実現されている。このようにしておくと、少々不良な画像であっても写真にしたいと思ったユーザに対して適切な対応を図ることができる撮影装置にもなる。
【００４９】
さらに上記実施形態では撮影装置がＤＰＯＦモードを有している場合の例を説明したが、プリント指示情報の記録をパーソナルコンピュータ（以降ＰＣという）で行う場合においても、また現像店にある専用ツールで行う場合においても、メモリカードを装填することさえできればその装填したメモリカードから画像とともに不良情報を読み出して表示画面上に表示することは可能であるので、パーソナルコンピュータの表示画面上でプリント写真にするか否かをユーザに判断させるような場合においても、また現像店までメモリカードを持っていって現像店の専用ツールの表示画面上でプリント写真にするか否かをユーザに判断させるような場合においても上記本実施形態で説明した技術は適用される。
【００５０】
すなわち、プリント写真を受け取る前（現像店まで持っていって依頼するときまで）にユーザが画像データの不良を知ることができる撮影装置が実現される。
【００５１】
なお、本実施形態では、露出調整不良やピント調整不良を例に挙げて本発明にいう不良な画像データが得られたことを示したが、スローシャッタ（１／３０ｓよりも長いシャッタ秒時）が設定された場合においては撮影装置を三脚に取り付けた状態で撮影を行なったとしても手ぶれ発生の可能性が表示画面上に表示されてしまって撮影後にその手ぶれ発生の可能性があることが画像データとともに記録される場合もある。そのような場合においては撮影時にＣＰＵが検出した手ぶれの可能性をプリント指示時に表示画面上に表示することで、ユーザに撮影時に手ぶれの可能性のあった画像をプリント写真にするかどうかの判断を行わせるようなことができる。
【００５２】
また上記に限らず、この撮影装置で撮影を行うにあたって撮影の失敗に繋がるようなものであってこの撮影装置に配備されたセンサ等で検出することができるようなことであればどのようなものであっても本発明の技術は適用され、画像データに基づく画像とともにそのセンサ等で検出された不良情報を表示画面上に表示することでユーザにプリント写真にするかどうかの判断を行なわせることができる。
【００５３】
このほか、本実施形態においては、ＤＰＯＦというプリン予約処理によりプリント指示情報を記録メディアに記録する場合の例を説明したが、ＰｉｃｔＢｒｉｄｇｅという規格に対応したプリンタ等で画像を写真プリントするときにおいても本発明の技術は適用される。例えば上記ＰｉｃｔＢｒｉｄｇｅという規格に対応したプリンタと撮影装置とをケーブルで接続してプリント指示を撮影装置からプリンタに与えようとしているときに撮影装置が備える表示画面上に画像と不良情報とを重ねて表示するようにしてユーザにプリント写真にするかどうかの判断を行わせるようなことが行なえる。
【図面の簡単な説明】
【００５４】
【図１】本発明の撮影装置の一実施形態であるデジタルカメラの外観を示す図である。
【図２】デジタルカメラ１００の内部に配備された信号処理部の構成ブロック図である。
【図３】メインＣＰＵ１１０が行なう撮影処理の手順を示すフローチャートである。
【図４】メインＣＰＵが行なうプリント予約処理を示すフローチャートである。
【図５】図４のステップＳ４０５でユーザに画像データの不良を知らせる際に用いられる表示画面の一例である。
【符号の説明】
【００５５】
１００    撮影装置
１０１    スイッチ群
１０１ａ    電源スイッチ
１０１ｅ    撮影モードダイヤル
１０２      レリーズボタン
１１０    メインＣＰＵ
１１１    撮影光学系
１１２    ＣＣＤ
１１３    Ａ／Ｄ部
１１４    ホワイトバランスγ処理部
１１５    バッファメモリ
１１６    ＹＣ処理部
１１７    圧縮・伸張部
１１８    Ｉ／Ｆ
１１９    メモリカード
１２０    測光・測距ＣＰＵ
１５    画像表示ＬＣＤ
１５０    ＬＣＤパネル
１５１    ＹＣ→ＲＧＢ変換部
１５２    ドライバ
【図１】
2006352243.tif 000003
【図２】
2006352243.tif 000004
【図３】
2006352243.tif 000005
【図４】
2006352243.tif 000006
【図５】
2006352243.tif 000007